(57)【要約】【課題】  異なる時刻または異なる装置で測定した波形データとの比較を、少ないデータ量で柔軟に行うことができる波形測定装置および波形測定システムを実現することを目的にする。【解決手段】  本発明は、被測定波形を測定した波形データを出力する測定部を少なくとも１チャネル有し、測定部からの波形データを第１のメモリに格納し、第１のメモリの波形データを表示部に波形表示したり記憶手段に保存する波形測定装置に改良を加えたものである。本装置は、波形データの所定数ごとに最大値と最小値とを求めて圧縮データを作成し、この圧縮データを記憶手段に保存する圧縮手段と、圧縮データを格納する第２のメモリと、記憶手段に保存した圧縮データを第２のメモリにロードするロード手段と、第２のメモリにロードされた圧縮データを表示部に波形表示する圧縮データ表示手段とを有することを特徴とするものである。【選択図】                    図１
2005351658.tif 000002
【特許請求の範囲】
【請求項１】
被測定波形を測定した波形データを出力する測定部を少なくとも１チャネル有し、前記測定部からの波形データを第１のメモリに格納し、前記第１のメモリの波形データを表示部に波形表示したり記憶手段に保存する波形測定装置において、
前記波形データの所定数ごとに最大値と最小値とを求めて圧縮データを作成し、この圧縮データを前記記憶手段に保存する圧縮手段と、
圧縮データを格納する第２のメモリと、
前記記憶手段に保存した圧縮データを前記第２のメモリにロードするロード手段と、
前記第２のメモリにロードされた圧縮データを前記表示部に波形表示する圧縮データ表示手段と
を有することを特徴とする波形測定装置。
【請求項２】
圧縮データ表示手段は、チャネルごとに色分けして波形表示することを特徴とする請求項１記載の波形測定装置。
【請求項３】
圧縮データ表示手段は、新たに測定され前記第１のメモリに格納された波形データと共に前記圧縮データを前記表示部に波形表示することを特徴とする請求項１または２記載の波形測定装置。
【請求項４】
前記第１のメモリに格納された波形データをチャネルごとに色分けして波形表示し、圧縮データの各チャネルの波形表示を、対応する波形データのチャネルの波形の色に対して輝度を落とした色で表示することを特徴とする請求項３記載の波形測定装置。
【請求項５】
前記表示部に表示される圧縮データの波形を縦方向に移動するポジション移動手段を設けたことを特徴とする請求項１〜４のいずれかに記載の波形測定装置。
【請求項６】
前記表示部に表示される圧縮データの波形を拡大して表示するズーム手段を設けたことを特徴とする請求項１〜５のいずれかに記載の波形測定装置。
【請求項７】
ズーム手段は、拡大率に従って圧縮データのデータ補間を行うことを特徴とする請求項６記載の波形測定装置。
【請求項８】
前記表示部に表示される圧縮データの波形の解析を行う解析手段を設けたことを特徴とする請求項１〜７のいずれかに記載の波形測定装置。
【請求項９】
請求項１〜８のいずれかに記載の波形測定装置を複数設け、ロード手段が異なる波形測定装置の記憶手段に保存された圧縮データを第２のメモリにロードし、圧縮データ表示手段が第２のメモリの圧縮データを波形表示することを特徴とする波形測定システム。
【発明の詳細な説明】
【技術分野】
【０００１】
本発明は、被測定波形を測定した波形データを出力する測定部を少なくとも１チャネル有し、測定部からの波形データを第１のメモリに格納し、第１のメモリの波形データを表示部に波形表示したり記憶手段に保存する波形測定装置および波形測定システムに関し、詳しくは、異なる時刻または異なる装置で測定した波形データとの比較を、少ないデータ量で柔軟に行うことができる波形測定装置および波形測定システムに関するものである。
【背景技術】
【０００２】
波形測定装置（例えば、デジタルオシロスコープ）は、被測定波形を測定してデジタル信号の波形データに変換し、アクイジョンメモリに格納する。そして、アクイジョンメモリに格納した波形データの解析を行うと共に、この解析結果および波形データを表示処理部を介して表示部の表示画面に波形表示するように構成されたものであり、各種分野の研究開発、品質管理、保守作業等において広く使用されている（例えば、特許文献１、特許文献２参照）。また、近年、サンプリング周波数の高速化、測定の長時間化によって、波形データのレコード長は大きくなり、アクイジョンメモリの容量も数Ｍバイト〜数十Ｍバイトとなっている。
【０００３】
図１０は、従来の波形測定装置の構成を示した図である。
図１０において、測定部１０は、被測定波形が入力され、被測定波形を測定した波形データを出力する。なお、測定部１０は、１チャネル分または複数の被測定波形を同時に測定するため複数チャネル分設けられるが、図１０では、１チャネル分のみ図示している。
【０００４】
アクイジョンメモリ２０は、第１のメモリであり、測定部１０からの波形データを格納する。ＣＰＵ（Central Processing Unit）３０は、表示処理部３１を有し、アクイジョンメモリ２０から波形データの読み出し、書込みを行う共に、装置全体を制御する。表示処理部３１は、アクイジョンメモリ２０の波形データや波形データの解析結果を表示部４０の表示画面に表示する。また、表示画面に表示される波形を、ビットマップ等のビットマップグラフィックス（ラスタグラフィックスとも呼ばれる）の画像データ（以下スナップショット波形）に変換する。
【０００５】
設定部５０は、ボタンやロータリーノブ等であり、ユーザがこれらを操作することによって波形測定装置の設定や操作を行う。記憶手段６０は、アクイジョンメモリ２０の波形データや表示部４０に表示される画像データを保存する。これらのデータはＣＰＵ３０を介して書込み、読み出しが行われる。また、記憶手段６０は、アクイジョンメモリ２０と別に設けられ、例えば、装置本体に内蔵または外付けされるハードディスク、フロッピー（登録商標）ディスク、ＩＤＥ規格に準拠したインタフェースを持つフラッシュＡＴＡメモリカード等であり、装置本体から取り外せるものは、他の波形測定装置やパソコン等と接続を行ない、データの授受を行なうことができる。
【０００６】
スナップショット画像用メモリ７０は、表示処理部３１の作成したスナップショット波形を専用に保持し、表示処理部３１によってスナップショット波形の書込み、読み出しが行われる。
【０００７】
このような装置の動作を説明する。
測定部１０の図示しないＡＤ変換器が、アナログ信号の被測定波形をデジタル信号に変換し、波形データとしてアクイジョンメモリ２０に格納する。そして、ＣＰＵ３０の表示処理部３１が、アクイジョンメモリ２０から波形データを読み出し、表示部４０の表示画面に各チャネルの波形データやチャネル間で演算した波形データ（例えば、チャネル１の波形データとチャネル２の波形データとを加算したもの）を波形表示する。
【０００８】
また、ＣＰＵ３０が、アクイジョンメモリ２０内に存在する波形データをファイルにして記憶手段６０に保存する。さらに、ＣＰＵ３０が、記憶手段６０に保存された波形データをアクイジョンメモリ２０にロードする。つまり、記憶手段６０から波形データを読み出して、アクイジョンメモリ２０に書き込む。
【０００９】
なお、アクイジョンメモリ２０にロードされた後の波形データは、測定部１０で測定されてアクイジョンメモリ２０に格納される波形データと同様の扱いができるので、ロードした波形データを使用して表示部４０に波形表示したり、波形解析を行うことができる。一般的に記憶手段６０に保存されるファイルの波形データをアクイジョンメモリ２０にロードすると、ロード前にアクイジョンメモリ２０内にあった波形データは破棄される。
【００１０】
さらに、表示処理部３１が、表示部４０の表示画面に表示される波形を、スナップショット波形に変換して画像用メモリ７０、記憶装置６０に保存したり、保存したスナップショット波形を読み出して、表示画面に再表示させる。
【００１１】
波形測定装置では、以前測定した波形と、現在測定している波形とを比較したいという要望が多い。また、他の波形測定装置で測定した波形データとを比較したいという要望が多い。このように異なる時刻や異なる装置で取得した波形同士を比較する場合、以下の２通りが行われる。
（Ａ）比較する波形データを一旦ファイル（以下、波形データをファイル化したものを波形データファイルと呼ぶ）にして記憶手段６０に保存する。その後、保存した波形データファイルから波形データをアクイジョンメモリ２０にロードする。なお、測定部１０が新たに被測定波形を測定しても、アクイジョンメモリ２０にロードした波形データが上書きされない仕組み（以下、アクイジョンホールド機能）を使うことで、ホールドされていないチャネルに測定を行い、過去の波形と現在の波形との比較を行う。
【００１２】
（Ｂ）表示画面をスナップショット波形として画像用メモリ７０に保持させる。スナップショット波形は、複数チャネルの波形であっても通常特定の色の単色（例えば、黒線）で表示される。そして、測定部１０が新たに測定した波形データの波形とスナップショット波形とで、比較を行う。
【００１３】
【特許文献１】特許第３１８５９４９号
【特許文献２】特許第３２９２０７８号
【発明の開示】
【発明が解決しようとする課題】
【００１４】
しかしならば、（Ａ），（Ｂ）ともに下記の問題がある。
（Ａ）の場合。ロードした波形データのうち必要なチャネルの波形データが、測定部１０が新たに測定した波形データによって上書きされないように、チャネルごとに管理するアクイジョンホールド機能を組み込む必要があり、構造が複雑になるという問題があった。
【００１５】
また、波形データファイルの波形データをアクイジョンメモリ２０にロードするので、アクイジョンメモリ２０は、波形データファイルの波形データのサイズと同様の容量を必要とする。従って、例えば、アクイジョンメモリ２０の容量と同等のレコード長をもつ波形データをロードすると、この比較対照の波形データをロードした時点でアクイジョンメモリ２０が一杯になってしまう。そのため、新たに測定を行ってもアクイジョンメモリに空きがないので、波形データを格納できず、比較を行うことができないという問題があった。もちろん、アクイジョンメモリ２０と同等の容量をもつメモリを別に設けることも考えられるが、非常にコストが高くなり、現実的でない。
【００１６】
さらに、波形データファイルに保存してある波形データをロードする場合、新たに測定した波形データの測定条件と、ロードした波形データの測定条件とが異なる（例えば、軸の情報（縦軸のＶ／Ｄｉｖ，横軸のＴ／Ｄｉｖ）が同じでも、レコード長が違う場合）と比較を行うことができないという問題があった。
【００１７】
（Ｂ）の場合。スナップショット波形を保存する画像用メモリ７０の容量は、アクイジョンメモリ２０に比べて小さくすることができる。しかし、スナップショット波形は、波形の画面イメージ（画像データ）であり、このような画像データにはベクタ情報を含んでいないため、縦軸方向、横軸方向に比率をもって伸縮させることができない。そのため、実波形の所望の部分を時間軸方向（横軸方向）にズームして詳細に表示させて、波形を比較することができないという問題があった。
【００１８】
また、スナップショット波形は、画面に表示される波形全体の画面イメージなので、チャネルごとに所望の色に色分けしたりすることが非常に難しいという問題があった。そのため、通常は単色で表示されるので、複数チャネルで同時に比較する場合等は波形が重なってしまい、比較を行うことが難しいという問題があった。
【００１９】
具体例を挙げて説明する。図１１〜図１４は、表示部４０の表示画面の表示例である。図１１において、波形１０１〜１０３のそれぞれは、１チャネル目の測定部、２チャネル目の測定部、３チャネル目の測定部で測定された波形データを波形表示したものである。また、波形１０１〜１０３のそれぞれは、例えば、黄色、緑色、赤色で波形表示される。なお、波形１０１〜１０３の近傍には、チャネル番号を表す文字（ＣＨ１、ＣＨ２、ＣＨ３）が表示され、この文字の色は波形１０１〜１０３と同じ色に表示される。この文字をみることにより、ユーザは、波形１０１〜１０３が何番目のチャネルで測定されたか確認をすることができる。
【００２０】
続いて、図１２は、図１１のスナップショット波形を表示画面に表示した表示例である。図１２において、波形２０１〜２０３のそれぞれは、波形１０１〜１０３に対応する。ただし、波形２０１〜２０３は、同じ色（例えば、黒色）で波形表示される。
【００２１】
図１３は、新たに測定した波形データとスナップショット波形を同時に表示画面に表示した表示例である。図１３において、波形３０１〜３０３のそれぞれは、１チャネル目の測定部、２チャネル目の測定部、３チャネル目の測定部で、新たに測定された波形データを波形表示したものである。また、波形３０１〜３０３のそれぞれは、例えば、黄色、緑色、赤色で波形表示される。
【００２２】
図１４は、所望の部分を拡大表示した例である。図１４において、表示画面は２分割され、上段にメイン画面が表示され、下段にメイン画面の所望部分を拡大したズーム画面が表示される。メイン画面には、図１３に示す波形３０１〜３０３が振幅軸方向（縦軸方向）に縮小され表示される。また、メイン画面で指定される領域が、下段のズーム画面に拡大表示される。すなわち、指定領域中の波形３０１〜３０３が、時間軸方向に拡大され、それぞれ波形４０１〜４０３として表示される。
【００２３】
しかしながら、スナップショット波形はベクタ情報をもたない画面イメージであり、波形２０１〜２０３を縦軸方向のみに伸縮したり、横軸方向のみに伸縮することができない。そのため、表示画面を２分割し、新たに測定した波形データを拡大して詳細に波形表示（波形４０１〜４０３）しても、波形２０１〜２０３はそのままのため比較が難しいという問題があった。
【００２４】
そこで本発明の目的は、異なる時刻または異なる装置で測定した波形データとの比較を、少ないデータ量で柔軟に行うことができる波形測定装置および波形測定システムを実現することにある。
【課題を解決するための手段】
【００２５】
請求項１記載の発明は、
被測定波形を測定した波形データを出力する測定部を少なくとも１チャネル有し、前記測定部からの波形データを第１のメモリに格納し、前記第１のメモリの波形データを表示部に波形表示したり記憶手段に保存する波形測定装置において、
前記波形データの所定数ごとに最大値と最小値とを求めて圧縮データを作成し、この圧縮データを前記記憶手段に保存する圧縮手段と、
圧縮データを格納する第２のメモリと、
前記記憶手段に保存した圧縮データを前記第２のメモリにロードするロード手段と、
前記第２のメモリにロードされた圧縮データを前記表示部に波形表示する圧縮データ表示手段と
を有することを特徴とするものである。
【００２６】
請求項２記載の発明は、請求項２記載の発明において、
圧縮データ表示手段は、チャネルごとに色分けして波形表示することを特徴とするものである。
請求項３記載の発明は、請求項１または２記載の発明において、
圧縮データ表示手段は、新たに測定され前記第１のメモリに格納された波形データと共に前記圧縮データを前記表示部に波形表示することを特徴とするものである。
請求項４記載の発明は、請求項３記載の発明において、
前記第１のメモリに格納された波形データをチャネルごとに色分けして波形表示し、圧縮データの各チャネルの波形表示を、対応する波形データのチャネルの波形の色に対して輝度を落とした色で表示することを特徴とするものである。
【００２７】
請求項５記載の発明は、請求項１〜４のいずれかに記載の発明において、
前記表示部に表示される圧縮データの波形を縦方向に移動するポジション移動手段を設けたことを特徴とするものである。
請求項６記載の発明は、請求項１〜５のいずれかに記載の発明において、
前記表示部に表示される圧縮データの波形を拡大して表示するズーム手段を設けたことを特徴とするものである。
請求項７記載の発明は、請求項１〜６のいずれかに記載の発明において、
ズーム手段は、拡大率に従って圧縮データのデータ補間を行うことを特徴とするものである。
請求項８記載の発明は、請求項１〜７のいずれかに記載の発明において、
前記表示部に表示される圧縮データの波形の解析を行う解析手段を設けたことを特徴とするものである。
【００２８】
請求項９記載の発明は、
請求項１〜８のいずれかに記載の波形測定装置を複数設け、ロード手段が異なる波形測定装置の記憶手段に保存された圧縮データを第２のメモリにロードし、圧縮データ表示手段が第２のメモリの圧縮データを波形表示することを特徴とするものである。
【発明の効果】
【００２９】
本発明によれば、以下のような効果がある。
請求項１〜８によれば、圧縮手段が、第１のメモリの波形データをベクタ情報をもつ形式で圧縮し、記憶手段に保存する。そして、ロード手段が記憶手段から圧縮データを第２のメモリにロードし、圧縮データ表示手段が表示部に圧縮データを再表示する。すなわち圧縮されたデータは、１点ごとに各軸の情報を持つので、ポジション移動、特定の軸方向のみの縮小や拡大、カーソル測定等を行うことができる。これにより、新たに測定した波形データや異なる波形測定装置で測定した波形データとの比較を様々な手法で詳細に行うことができる。従って、異なる時刻または異なる装置で測定した波形データとの比較を、少ないデータ量で柔軟に行うことができる。
【００３０】
請求項２によれば、圧縮データ表示手段が、各チャネルの波形を色分けするので、比較対象の波形との比較を容易に行なうことができる。
【００３１】
請求項４によれば、圧縮データ表示手段が、各チャネルの波形を色分けすると共に、比較を行なう波形データのチャネルに対応した類似色で表示するので、比較対象の波形との比較をより容易に行なうことができる。
【００３２】
請求項９によれば、複数の波形測定装置のそれぞれで波形データを測定し、圧縮データを記憶手段に保存する。そして、ロード手段が、異なる波形測定装置から圧縮データを読み出し、波形の比較を行なうので、異なる時刻または異なる装置で測定した波形データとの比較を、少ないデータ量で柔軟に行うことができる。
【発明を実施するための最良の形態】
【００３３】
以下図面を用いて本発明の実施の形態を説明する。
図１は本発明の一実施例を示す構成図である。ここで、図１０と同一のものは同一符号を付し、説明を省略する。図１において、ＣＰＵ３０に圧縮手段３２、ロード手段３３が新たに設けられ、ＣＰＵ３０の表示処理部３１に圧縮データ表示手段３４が新たに設けられる。比較波形生成用メモリ８０が新たに設けられる。
【００３４】
圧縮手段３２は、アクイジョンメモリ２０に格納される波形データを所定数ごとに最大値と最小値とを求めて圧縮し（以下、Ｐ−Ｐ（Peak to Peak）圧縮と略す）てＰ−Ｐ圧縮データを作成し、このＰ−Ｐ圧縮データを記憶手段６０に保存する。ロード手段３３は、記憶手段６０に保存したＰ−Ｐ圧縮データを比較波形生成用メモリ８０にロードする。
【００３５】
圧縮データ表示手段３４は、比較波形生成用メモリ８０にロードされたＰ−Ｐ圧縮データを表示部４０の表示画面に波形表示する。比較波形生成用メモリ８０は、第２のメモリであり、Ｐ−Ｐ圧縮データを格納する。
【００３６】
このような装置の動作を説明する。ここで、図２は、図１に示す装置の動作を説明した図であり、図３〜図７は図１に示す装置の動作を説明したフローチャートである。
測定部１０が被測定波形を測定してアクイジョンメモリ２０に波形データを格納する。そして、アクイジョンメモリ２０の波形データを表示処理部３１が表示部４０に波形表示する。さらに、波形データやスナップショット波形を記憶手段６０に書き込んだり読み出して再度波形表示するが、これらの動作は、図１０に示す装置と同様なので説明を省略する。
【００３７】
次に、圧縮手段３２がアクイジョンメモリ２０の波形データを圧縮して記憶手段６０に保存する動作を説明する（図２、図３のフローチャート参照）。まず、Ｐ−Ｐ圧縮について説明する。通常、表示処理部３１が、表示部４０に波形表示する場合、波形データを圧縮して表示することが多い。つまり、表示画面の横軸方向の表示分解能は有限のため、アクイジョンメモリ２０に格納された波形データ全てを表示することができない。従って、波形データを所定数ごとに複数の時間区間に分割する。そして、その範囲のデータの特徴をよく表す最大値と最小値とを求め、この最大値と最小値との組を分割された区間のデータとすることによって、Ｐ−Ｐ圧縮する（例えば、特許文献１、特許文献２参照）。
【００３８】
例えば、表示画面の横軸方向のラスタ本数が１０００本とすると、横軸方向のプロット点数が１００１点となる。一方、アクイジョンメモリ２０の波形データ数が１００１００００点の場合、所定数を１００００点とすれば、Ｐ−Ｐ圧縮を行うと、圧縮後のデータ数は、１００１００００／１００００＝１００１点となる。なお、最大値と最小値とを組み合わせたデータを１点としている。
【００３９】
このようなＰ−Ｐ圧縮を、圧縮手段３２がアクイジョンメモリ２０の波形データに対して行う。例えば、アクイジョンメモリ２０の波形データが１００１００００点の場合、所定数を１００００点として１００１点にＰ−Ｐ圧縮する（Ｓ１０）。Ｐ−Ｐ圧縮したＰ−Ｐ圧縮データをファイルにして記憶手段６０に保存する（Ｓ１１）。このようにＰ−Ｐ圧縮したデータは、最大値と最小値の組み合わせなので、１点ごとにベクタ情報をもつことと同じであり、ベクタデータである。また、記憶するための容量もアクイジョンメモリ２０よりも小容量となる。なお、測定された全チャネルの波形データをＰ−Ｐ圧縮して保存してもよく、所望のチャネルのみの波形データをＰ−Ｐ圧縮して保存してもよい。もちろん、保存するファイルのヘッダ部またはフッタ部には、保存したチャネル番号、測定条件等も保存する。
【００４０】
続いて、記憶手段６０から比較波形生成用メモリ８０にＰ−Ｐ圧縮データをロードし、表示部４０に波形表示する動作を説明する（図２、図４のフローチャート参照）。ロード手段３３が、記憶手段６０のなかからロード対象のファイルをオープンする（Ｓ２０）。そして、オープンしたファイルからＰ−Ｐ圧縮データを読み出し、比較波形生成用メモリ８０に格納する（Ｓ２１）。もちろん、ファイルの容量が小さいので、比較波形生成メモリ８０もアクイジョンメモリ２０より小容量でよい。
【００４１】
一方測定部１０が、新たに被測定波形の測定を行い、アクイジョンメモリ２０に新たな波形データを格納する。そして、表示処理部３１が新たな波形データを、図１０に示す装置と同様に波形データをチャネルごとに色分けして表示部４０に波形表示している。そして、圧縮データ表示手段３４が、比較波形生成用メモリ８０にロードされたＰ−Ｐ圧縮データを読み出し、新たな波形データと共にＰ−Ｐ圧縮データを表示部４０に波形表示する。その際、圧縮データの各チャネルの波形表示を、対応する波形データのチャネルの波形の色に対して輝度を落とした色を求め、その色で波形表示する（Ｓ２２）。
【００４２】
ここで図８は、図１に示す装置における表示画面の表示例である。図１１と同一のものは同一符号を付し説明を省略する。図８において、波形５０１〜５０３のそれぞれは、１チャネル目の測定部、２チャネル目の測定部、３チャネル目の測定部で新たに測定された波形データを波形表示したものである。
【００４３】
また、波形５０１〜５０３のそれぞれは、例えば、黄色、緑色、赤色で波形表示される。波形６０１〜６０３のそれぞれは、１チャネル〜３チャネルの圧縮データを波形表示したものである。そして、波形６０１〜６０３のそれぞれの色は、波形５０１〜５０３の色の輝度を落とした色になっている。具体的には、例えば、橙色、青色、紫色で表示される。なお、波形６０１〜６０３の近傍には、圧縮データおよびチャネル番号を表す文字（Ｃ１(ＳＮＡＰ)、Ｃ２(ＳＮＡＰ)、Ｃ３(ＳＮＡＰ)）が表示され、この文字の色は波形６０１〜６０３と同じ色に表示される。この文字をみることにより、ユーザは、波形６０１〜６０３が何番目のチャネルに対応し、かつ圧縮データの波形であることを確認することができる。
【００４４】
次に、Ｐ−Ｐ圧縮波形データの波形を、縦軸方向にポジション移動する動作を説明する（図５のフローチャート参照）。ユーザが、設定部５０からポジション移動する数値を入力する。ＣＰＵ３０に設けられる図示しないポジション移動手段が、設定部５０から入力された数値を取得し（Ｓ３０）、取得した数値を比較波形生成用メモリ８０の圧縮データに一律に加算（または減算）する（Ｓ３１）。そして、圧縮データ表示手段３４が、比較波形生成用メモリ８０の加算されたＰ−Ｐ圧縮データを読み出し、図３のステップＳ２２と同様に表示部４０の表示画面に波形表示する（Ｓ３２）
【００４５】
次に、Ｐ−Ｐ圧縮波形データの波形を、縦軸方向に拡大表示する動作を説明する（図６のフローチャート参照）。また、図９は、所望の部分を拡大表示した例である。ここで、図８、図１４と同一のものは同一符号を付し説明を省略する。メイン画面には、図８
に示す波形５０１〜５０３、６０１〜６０３が振幅軸方向（縦軸方向）に縮小され表示される。また、メイン画面で指定される領域が、下段のズーム画面に拡大表示される。すなわち、指定領域中の波形５０１〜５０３、６０１〜６０３が、時間軸方向に拡大され、それぞれ波形７０１〜７０３、８０１〜８０３として表示される。
【００４６】
まずユーザが、上段のメイン画面で拡大する領域を指定する。そして、ＣＰＵ３０の表示処理部３１に設けられる図示しないズーム手段が、指定された領域から拡大倍率を求め（Ｓ４０）、この拡大倍率に従って圧縮データのデータ間の補間を行う（Ｓ４１）。そして圧縮データと補間したデータとから表示部４０の表示画面に拡大波形７０１〜７０３、８０１〜８０３を表示する（Ｓ４２）。
【００４７】
次に、Ｐ−Ｐ圧縮データの波形の解析を行う動作を説明する（図７のフローチャート参照）。一例として、カーソルで指定される位置の振幅値を測定するカーソル値測定処理で説明する。ユーザが、設定部５０を操作して、測定を行う位置にカーソルを移動させる。そして、ＣＰＵ３０に設けられる図示しない解析手段が、カーソルのさしているポジションを求める（Ｓ５０）。そして、解析手段が、求めたポジションから、このポジションに対応する比較波形生成用メモリ８０内の格納アドレスを求める（Ｓ５１）。
【００４８】
さらに解析手段が、求めた格納アドレスから圧縮データを参照し（Ｓ５２）、さらに測定対象のチャネルの縦軸分解能を求め（Ｓ５３）、圧縮データと縦軸分解能から物理値を求め（Ｓ５４）、この物理値を表示部４０の表示画面に解析結果として表示する（Ｓ５５）。また、波形データと圧縮データの軸情報（Ｖ／Ｄｉｖ，Ｔ／Ｄｉｖ）があっていれば、圧縮データのカーソル値だけでなく、波形データのカーソル値を同時に求めてもよい。
【００４９】
このように圧縮手段３２が、アクイジョンメモリ２０の波形データをＰ−Ｐ圧縮し、記憶手段６０に保存する。そして、ロード手段３３が記憶手段６０からＰ−Ｐ圧縮データを比較波形生成用メモリ８０にロードし、圧縮データ表示手段３４が表示部４０にＰ−Ｐ圧縮データを再表示する。すなわちＰ−Ｐ圧縮されたデータは、１点ごとに横軸、縦軸（振幅値）の情報を持つベクタデータなので、ポジション移動、特定の軸方向のみの縮小や拡大、カーソル測定等を行うことができる。これにより、新たに測定した波形データや異なる波形測定装置で測定した波形データとの比較を様々な手法で詳細に行うことができる。従って、異なる時刻または異なる装置で測定した波形データとの比較を、少ないデータ量で柔軟に行うことができる。
【００５０】
また、Ｐ−Ｐ圧縮された圧縮データを波形生成用メモリ８０にロードして再表示するので、アクイジョンホールド機能のような組み込みが不必要となり、装置を簡略化できコストを抑えることができると共に、波形生成用メモリ８０の容量をアクイジョンメモリ２０よりもはるかに小さくすることができ、コストを抑えることができる。
【００５１】
また、Ｐ−Ｐ圧縮されたＰ−Ｐ圧縮データと比較を行なう波形データとを表示部４０に波形表示するので、それぞれの測定条件が異なっていても、表示される画像レベルでの比較を行うことができる。そして、軸情報（Ｖ／Ｄｉｖ，Ｔ／Ｄｉｖ）さえ合っていれば、波形データとしても比較（カーソル測定によるカーソル値の比較）が可能である。
【００５２】
また、圧縮データ表示手段が、各チャネルの波形を色分けすると共に、波形データのチャネルに対応した類似色で表示するので、比較対象の波形との比較を容易に行なうことができる。
【００５３】
なお、本発明はこれに限定されるものではなく、以下のようなものでもよい。
図１に示す装置において、Ｐ−Ｐ圧縮するデータのチャネル数を３チャネルとし、新たに測定した波形データのチャネル数を３チャネルとする構成を示したが、それぞれ何チャネルでもよい。
【００５４】
また、図１に示す装置において、記憶手段６０に保存してある圧縮データと現在測定中の波形データとの比較を行なう構成を示したが、図１に示す波形測定装置を複数台設け、波形測定システムとしてもよい。そして、波形測定装置同士をネットワークで接続し、ロード手段３３が、ネットワークを介して異なる波形測定装置の記憶手段から圧縮データを比較波形生成用メモリ８０にダウンロードし、波形の比較を行なってもよい。
【００５５】
このように複数の波形測定装置のそれぞれで波形データを測定し、圧縮データを記憶手段に保存する。そして、ロード手段が、異なる波形測定装置から圧縮データを読み出し、波形の比較を行なうので、異なる時刻または異なる装置で測定した波形データとの比較を、少ないデータ量で柔軟に行うことができる。
【００５６】
さらに、同機種の波形測定装置だけでなく、異なる機種であっても、波形データをＰ−Ｐ圧縮してベクタデータのＰ−Ｐ圧縮データとして記憶手段６０に保存し、このベクタデータであるＰ−Ｐ圧縮データをロード手段３３がロードして、波形の比較を行なってもよい。つまり、従来は異なる機種間では、波形データファイル特有のセットアップ情報等があるため、異なる機種では波形データをロードすることができなかった。しかし、ベクタデータであるＰ−Ｐ圧縮データをロード手段３３がロードし、波形表示を行なうので、異なる機種間であっても波形の比較をすることができる。
【図面の簡単な説明】
【００５７】
【図１】本発明の一実施例を示した構成図である。
【図２】図１に示す装置の動作を説明した図である。
【図３】図１に示す装置における波形データの圧縮、保存の動作を説明したフローチャートである。
【図４】図１に示す装置におけるＰ−Ｐ圧縮データのロード、波形表示の動作を説明したフローチャートである。
【図５】図１に示す装置における圧縮データの波形のポジショニング移動の動作を説明したフローチャートである。
【図６】図１に示す装置における圧縮データの波形の拡大表示の動作を説明したフローチャートである。
【図７】図１に示す装置における圧縮データの波形の解析を行なう動作を説明したフローチャートである。
【図８】図１に示す装置における表示部の表示画面の表示例を示した図である。
【図９】図１に示す装置における表示部の表示画面のその他の表示例を示した図である。
【図１０】従来の波形測定装置の構成を示した図である。
【図１１】図１０に示す装置の第１の表示例を示した図である。
【図１２】図１０に示す装置の第２の表示例を示した図である。
【図１３】図１０に示す装置の第３の表示例を示した図である。
【図１４】図１０に示す装置の第４の表示例を示した図である。
【符号の説明】
【００５８】
１０  測定部
２０  アクイジョンメモリ
３２  圧縮手段
３３  ロード手段
３４  圧縮データ表示手段
４０  表示部
６０  記憶手段
８０  比較波形生成用メモリ
【図１】
2005351658.tif 000003
【図２】
2005351658.tif 000004
【図３】
2005351658.tif 000005
【図４】
2005351658.tif 000006
【図５】
2005351658.tif 000007
【図６】
2005351658.tif 000008
【図７】
2005351658.tif 000009
【図８】
2005351658.tif 000010
【図９】
2005351658.tif 000011
【図１０】
2005351658.tif 000012
【図１１】
2005351658.tif 000013
【図１２】
2005351658.tif 000014
【図１３】
2005351658.tif 000015
【図１４】
2005351658.tif 000016